(57)【要約】      （修正有）【課題】例えばドアに設けたドアハンドルまたはサムタ−ン等の取付座に好適で、構成が簡単で容易かつ安価に製作できるとともに、取付座からカバ−を容易に取り外すことができ、しかも種々のデザインに応じられ高品位の美観を得られる、ドアハンドル等の取付座を提供する。【解決手段】ドア１の表面に取り付け、かつ表面にカバ−３０を被覆したドアハンドル等の取付座２１、２２において、取付座２１，２２の表面を額縁状に形成し、表面の平坦面２３に平板状のカバ−３０を被覆する。【選択図】図１
2009228287.tif 000002
【特許請求の範囲】
【請求項１】
ドアの表面に取り付け、かつ表面にカバ−を被覆したドアハンドル等の取付座において、前記取付座の表面を額縁状に形成し、前記表面の平坦面に平板状のカバ−を被覆したことを特徴とするドアハンドル等の取付座。
【請求項２】
前記カバ−を金属板で平板状に形成した請求項１記載のドアハンドル等の取付座。
【請求項３】
前記カバ−を、平坦面に取り付けたマグネットシ−トに吸着保持させた請求項２記載のドアハンドル等の取付座。
【請求項４】
前記カバ−に、ドアハンドルの軸部またはサムタ−ン摘みの基部若しくは表示板またはキ−シリンダを挿入可能な通孔を形成し、該通孔またはカバ−の外周に舌片を突設し、該舌片を介して前記カバ−をマグネットシ−トから剥離可能にした請求項２または請求項３記載のドアハンドル等の取付座。
【発明の詳細な説明】
【技術分野】
【０００１】
本発明は、例えばドアに設けたドアハンドルまたはサムタ−ン等の取付座に好適で、構成が簡単で容易かつ安価に製作できるとともに、取付座からカバ−を容易に取り外すことができ、しかも種々のデザインに応じられ高品位の美観を得られる、ドアハンドル等の取付座に関する。
【背景技術】
【０００２】
ドアハンドルまたはドアノブの取付部に取付座を取り付け、ドアの取付部周辺の体裁を図るようにしている。
例えばドアハンドルの取付座として、ドアの表面にビス止めする金属製の肉厚円板状のロ−ズプレ−トと、該ロ−ズプレ−トの外側を被覆し、かつその周面に形成した係合突起を、ロ−ズプレ−トの周面に形成した係合凹部に係合して取り付ける金属製のロ−ズとからなり、前記ロ−ズの通孔にレバ−ハンドルの軸部を回動可能に挿入したものがある（例えば、特許文献１参照）。
【０００３】
しかし、前記ドアハンドルの取付座は、鋼板をプレス成形してロ−ズを製作しているため、その成形に多くの工程を要して製作に手間が掛かり、高価になる等の問題があった。
しかも、ロ−ズの周面を直角に折り曲げているため、その成形が難しく、表面の形態やデザインが単調な平坦面に限られ、高級感に欠けるとともに、種々のデザインに対応できないという問題があった。
一方、ロ−ズプレ−トは厚肉部に係合突起の作動を形成する挿入案内用凹部や係合凹部、螺旋溝やネック部を要し、それらの加工が複雑で製作コストが高価になる等の問題があった。
そして、ロ−ズをロ−ズプレ−トから取り外す場合、ロ−ズを握持して一方向に回動し、係合突起をネック部から螺旋溝へ移動させるため、面倒で概して腕力を要する問題があった。
【０００４】
また、別の形態のハンドル取付座として、ドアの内外面に合成樹脂製の台座を取り付け、これらの台座は肉厚の円板状に形成され、その一側にパイプ状の外脚体または内脚体を突設し、外脚体の内部に内脚体を挿入し、更に内脚体内にピンを圧入して内脚体を外脚体に圧接後、内脚体と外脚体の表面に皿状に成形した金属製のカバ−を被着したものがある（例えば、特許文献２参照）。
【０００５】
しかし、前記ドアハンドルの取付座は、台座に外脚体または内脚体を一体成形しているため、成形が難しい上に、外部の台座や外脚体または内脚体が損傷した場合、当該台座全体を取り換えなければならない、という不合理があり、またカバ−には前述と同様な問題があった。
また、カバ−を台座に単に被着しているため、使用時の空転を防止する構造上、或る程度強固に嵌合させる必要があり、その場合はカバ−の取り外しが困難になる問題があった
【０００６】
【特許文献１】実公平６−４０２９５号公報
【特許文献２】特開平９−３２３７２号公報
【発明の開示】
【発明が解決しようとする課題】
【０００７】
本発明はこのような問題を解決し、例えばドアに設けたドアハンドルまたはサムタ−ン等の取付座に好適で、構成が簡単で容易かつ安価に製作できるとともに、取付座からカバ−を容易に取り外すことができ、しかも種々のデザインに応じられ高品位の美観を得られる、ドアハンドル等の取付座を提供することを目的とする。
【課題を解決するための手段】
【０００８】
請求項１の発明は、ドアの表面に取り付け、かつ表面にカバ−を被覆したドアハンドル等の取付座において、前記取付座の表面を額縁状に形成し、前記表面の平坦面に平板状のカバ−を被覆し、取付座とカバ−の構成を簡単にし、これらを容易かつ安価に製作し得るようにしている。
請求項２の発明は、前記カバ−を金属板で平板状に形成し、金属製のカバ−の構成を簡単にし、従来の皿状の金属製カバ−のように多工程を要するものに比べ、これを容易かつ安価に製作し得るとともに、カバ−の種々のデザインに応じられ、取付座に高品位の美観を得られるようにしている。
【０００９】
請求項３の発明は、前記カバ−を、平坦面に取り付けたマグネットシ−トに吸着保持させ、その着脱を簡便に行なうようにしている。
請求項４の発明は、前記カバ−に、ドアハンドルの軸部またはサムタ−ン摘みの基部若しくは表示板またはキ−シリンダを挿入可能な通孔を形成し、該通孔またはカバ−の外周に舌片を突設し、該舌片を介して前記カバ−をマグネットシ−トから剥離可能にし、取付座周辺を損傷することなくカバ−を容易に取り外せるようにしている。
【発明の効果】
【００１０】
請求項１の発明は、取付座の表面を額縁状に形成し、前記表面の平坦面に平板状のカバ−を被覆したから、取付座とカバ−の構成を簡単にし、これらを容易かつ安価に製作することができる。
請求項２の発明は、前記カバ−を金属板で平板状に形成したから、金属製のカバ−の構成を簡単にし、従来の皿状の金属製カバ−のように多工程を要するものに比べ、これを容易かつ安価に製作できるとともに、カバ−の種々のデザインに応じられ、取付座に高品位の美観を得られる効果がある。
【００１１】
請求項３の発明は、前記カバ−を、平坦面に取り付けたマグネットシ−トに吸着保持させたから、その着脱を簡便に行なうことができる。
請求項４の発明は、前記カバ−に、ドアハンドルの軸部またはサムタ−ン摘みの基部若しくは表示板またはキ−シリンダを挿入可能な通孔を形成し、該通孔またはカバ−の外周に舌片を突設し、該舌片を介して前記カバ−をマグネットシ−トから剥離可能にしたから、取付座周辺を損傷することなくカバ−を容易に取り外すことができる。
【発明を実施するための最良の形態】
【００１２】
以下、本発明を室内ドアのハンドル取付座に適用した図示の実施形態について説明すると、図１乃至図１０において１は玄関および勝手口を除く室内の間仕切り用ドアで、該ドア１の一側端部に錠取付穴２が開口され、該錠取付穴２に錠前３が収容されている。
前記錠前３の一端にラッチボルト４が出没可能に設けられ、その他側端側に角穴５が設けられ、該角穴５に室外側のレバ−ハンドル６にピン７ａを介して連結した角芯棒７が係合可能に挿入されている。
【００１３】
図中、８は錠取付穴２の開口縁部に形成した縦長矩形の切欠溝で、該溝８に錠前３と一体の取付板９と、フロント板１０とが重合して収容され、これらがビス１１を介してドア１の側端部に取り付けられている。
前記角穴５の両側に係合孔１２が形成され、該孔１２，１２と前記角穴５に対応するドア１の内部に貫通孔１３，１４が形成され、該貫通孔１３，１４がドア１の内外面に開口している。
【００１４】
前記貫通孔１３，１４に前記角芯棒７と、真鍮等の金属製の連結パイプ１５が挿入され、このうち連結パイプ１５は貫通孔１３を介して係合孔１２に挿入され、その長さはドア１の厚さより若干長尺に形成されている。
前記連結パイプ１５の管内全域に雌ネジ部１６が形成され、該雌ネジ部１６にドア１の内外からビス１７をねじ込み可能にされ、後述するハンドル取付座をドア１の内外に取り付け可能にしている。
【００１５】
前記連結パイプ１５の一端に切欠溝１８が形成され、該スリット１８の両側に略円弧状断面の係止爪１９が対向して形成され、該係合爪１９，１９を後述するハンドル取付座の内面に形成した係合溝２０に係合可能に配置している。
【００１６】
前記ハンドル取付座２１，２２は貫通孔１３，１４に臨むドア１の内外面に配置され、該ハンドル取付座２１，２２は合成樹脂または亜鉛若しくはアルミダイカスト合金によって略円板状に成形されている。
前記内外のハンドル取付座２１，２２は実質的に同一に構成され、これを外側のハンドル取付座２１で説明すると、ハンドル取付座２１のドア１の表面と反対側の表面は額縁状に形成され、その凹状の平坦面２３の外周に凸部２４が環状に形成されている。
この場合、ハンドル取付座２１，２２は円板状に限らず、楕円、小判形、矩形、正五〜八角形、その他の異形に形成することも可能である。
【００１７】
前記平坦面２３の中央に、レバ−ハンドル６の軸部先端６ａを挿入可能な通孔２５が形成され、該通孔２５より外側の平坦面２３に一対の凹孔２６と矩形の凹部２７とが互いに直交して配置されている。
このうち、凹孔２６に前記ビス１７の頭部１７ａが収容可能にされ、該凹孔２６の底部に前記ビス１７の螺軸を挿入可能な通孔２８が形成されている。
【００１８】
また、前記凹部２７に両面接着テ−プ（図示略）または接着剤を介して、マグネットシ−ト２９が取り付けられ、該マグネットシ−ト２９の外面にカバ−である、磁性を有する金属製の化粧板３０が取り付けられている。
実施形態では前記化粧板３０として、板厚０．８ｍｍの比較的肉厚のステンレス鋼板を使用し、該化粧板３０をマグネットシ−ト２９に重合して配置し、該化粧板３０の表面を前記凸部２４と同高位置または若干高位置若しくは低位置に位置付けている。
【００１９】
前記化粧板３０の表面はヘアラインまたは鏡面仕上げされ、その中央に通孔３１が形成され、その対向位置に一対の舌片３２が対向して形成され、該舌片３２，３２が凹溝３３，３３上に配置されている。
【００２０】
前記通孔３１は、通孔２５の周縁に対向して突設した円弧状のガイドリブ３４，３４の外側に嵌合して取り付けられ、同側のガイドリブ３４，３４の間に前記凹溝３３，３３が形成され、該凹溝３３，３３上の同側のガイドリブ３４，３４の間に、舌片３２，３２が円周方向に移動可能に配置されている。
【００２１】
一方、ハンドル取付座２１のドア１の表面に相対する裏面の外周に環状の補強リブ３５が突設され、また通孔２５の開口縁部に環状の補強リブ３６が突設され、該補強リブ３５，３６の間に直線状の補強リブ３７が突設されている。
また、前記補強リブ３７と直交する補強リブ３５，３６の間に円板状の補強板３８，３８が突設され、これらの補強板３８，３８と補強リブ３５，３６，３７は同高面に形成されている。
前記補強板３８，３８の中央に前記通孔２８，２８が形成され、該通孔２８，２８の開口縁部に一対の係合溝２０が対向して形成されている。
【００２２】
この他、図中、３９は室内側のレバ−ハンドルで、その軸部先端３９ａの端面に前記角芯棒７の先端部を差し込み可能な角穴４０が形成され、該角穴４０の外側から止めビス４２がねじ込まれ、その螺軸端部が角芯棒７に形成した係止溝４２に係合可能に配置され、角芯棒７を連結可能にしている。
【００２３】
このように構成したハンドル取付座２１，２２は、連結パイプ１５の切欠溝１８部を除いて、実質的に同一に構成されている。
すなわち、前記ハンドル取付座２１，２２は実施形態の場合、合成樹脂で略円板状に成形され、その一側面、つまりドア１の設置側と他側面に平坦面２３が成形され、該平坦面２３に一対の凹孔２６と凹部２７とが互いに直交方向に成形され、平坦面２３の外周に凸部２４が環状に成形されている。
前記平坦面２３の中央に通孔２５が形成され、該通孔２５の開口縁にガイドリブ３４，３４が対向して突設され、このガイドリブ３４，３４の間に凹溝３３，３３が成形されている。
【００２４】
前記ハンドル取付座２１，２２の他側面、つまりドア１の設置側に環状の補強リブ３５，３６と、直線状の補強リブ３７と、円板状の補強板３８，３８とが突設され、これらが同高面に成形されている。
このように、前記ハンドル取付座２１，２２の両側の各部は樹脂成形によって一体に成形されているから、これを容易かつ均質に製作できる。
【００２５】
一方、ハンドル取付座２１，２２の表面を被覆する、従来のカバ−と同一の機能を有する化粧板３０は、比較的肉厚の磁性を有する平板状のステンレス鋼板で形成されているから、従来の皿状のカバ−に比べ、成形が頗る簡単で容易かつ均質に製作できる。
【００２６】
前記ハンドル取付座２１，２２は、その表面および側面を同時に被覆する従来の金属製の皿状のカバ−を有しないから、該カバ−の多工程かつ複雑な成形と、側面の取り付け用係合突起の形成が不要になり、該カバ−の単調なデザインを解消し得る。
【００２７】
すなわち、前記ハンドル取付座２１，２２は、その側周面を素面状態で表出し、その表面の平坦部２３を平板状の化粧板３０で被覆しているから、ハンドル取付座２１，２２の正面形状を種々の形状に成形し、これに応じて化粧板３０を種々の形状に打ち抜き成形することで、種々のデザインに応じられる。
【００２８】
図１０はハンドル取付座２１，２２と化粧板３０の種々のデザインを示している。
同図（ａ）は、ハンドル取付座２１，２２と化粧板３０の正面形状を半楕円形状に形成し、その下側の偏心位置に通孔２５およびガイドリブ３４を形成している。
同図（ｂ）は、ハンドル取付座２１，２２と化粧板３０の正面形状を縦長矩形に形成し、化粧板３０の周囲を波形に形成して周囲を装飾し、同図（ｃ）は、ハンドル取付座２１，２２と化粧板３０の正面形状を円形に形成し、その下側の偏心位置に通孔２５およびガイドリブ３４を形成している。
【００２９】
図１０（ｄ）は、ハンドル取付座２１，２２と化粧板３０の正面形状を逆半楕円形状に形成し、その中央に通孔２５とガイドリブ３４を形成し、また化粧板３０の通孔３１の周囲を鋸歯状に形成し、前記周囲を装飾している。
図１０（ｅ）は、ハンドル取付座２１，２２と化粧板３０の正面形状を小判形に形成し、その中央に通孔２５とガイドリブ３４を形成している。
図１０（ｆ）は、ハンドル取付座２１，２２と化粧板３０の正面形状を円形に形成し、化粧板３０の周囲を菊花形状に形成し、前記周囲を装飾している。
【００３０】
前記化粧板３０は、市販のマグネットシ−ト２９を介して凹部２７に取り付けられ、該マグネットシ−ト２９は、両面接着テ−プまたは接着剤を介して凹部２７に取り付けられ、前記マグネットシ−ト２９上の化粧板３０の表面を、凸部２４と同高より低位若しくは高位置に配置している。
【００３１】
前記連結パイプ１８は所定径の真鍮材をドア１の厚さ程度に裁断し、その内部に貫通孔を形成し、該貫通孔の内面に雌ネジ部１６を形成して製作している。
【００３２】
こうして製作したハンドル取付座２１，２２と、連結パイプ１８と化粧板３０を用いて、室内外側のレバ−ハンドル６，３９の取り付け基部周辺の体裁を改善する場合は、予め室外側のハンドル取付座２１を組み立て、室内側のハンドル取付座２２を仮組みして置く
【００３３】
このうち、室外側のハンドル取付座２１を組み立てる場合は、連結パイプ１８の一端の係合爪１９，１９を、ハンドル取付座２１の裏面の係合溝２０，２０に係合し、凹孔２６の外側から通孔２８を介してビス１７を雌ネジ部１６にねじ込み、これを緊締して頭部１７ａを凹孔２６に定着し、一対の連結パイプ１８を前記裏面に連結する。
この場合、係合爪１９，１９が係合溝２０，２０に係合しているから、ビス１７の緊締による連結パイプ１８の共回りが防止される。
【００３４】
この後、凹部２７に両面接着テ−プ（図示略）を介して、マグネットシ−ト２９を取り付け、該マグネットシ−ト２９の表面に化粧板３０を吸着し、平坦部２３を化粧板３０で被覆するとともに、通孔３１をガイドリブ３４に嵌合し、凹溝３３，３３上に舌片３２，３２を位置付ける。
この状況は図２のようで、ビス頭部１７ａとマグネットシ−ト２９が化粧板３０で隠蔽され、化粧板３０がマグネットシ−ト２９上に重合し、その表面が凸部２４と同高に位置し、ガイドリブ３４が化粧板３０の表面から突出している。この状況は図３のようである
【００３５】
次に、室内側のハンドル取付座２２を仮組みする場合は、前述の連結パイプ１８の連結と化粧板３０の取り付けは不要で、両面接着テ−プ（図示略）を介し、凹部２７にマグネットシ−ト２９を取り付けるだけで良い。
【００３６】
こうして室内外のハンドル取付座２１，２２を組み立て仮組みした後、錠取付穴２に錠前３を挿入し、フロント板１０をビス止めして錠前３を固定する。
この後、室外側のハンドル取付座２１を保持し、その連結パイプ１８，１８を貫通孔１３，１３に挿入し、これを更に係合孔１２，１２に差し込んで、連結パイプ１８，１８の先端部を貫通孔１３，１３の他側の開口部に位置付ける。
【００３７】
次に、前記仮組み状態の室内側のハンドル取付座２２を保持し、その通孔２８，２８を貫通孔１３，１３の他側の開口部に位置付け、凹孔２６の外側から通孔２８を介してビス１７を雌ネジ部１６にねじ込み、これを緊締して、頭部１７ａを凹孔２６に定着する。
この後、両面接着テ−プ（図示略）を介して、前記凹部２７にマグネットシ−ト２９を取り付け、該マグネットシ−ト２９の表面に化粧板３０を吸着保持し、平坦部２３を化粧板３０で被覆するとともに、通孔３１をガイドリブ３４に嵌合し、凹溝３３，３３上に舌片３２，３２を位置付ける。
【００３８】
こうしてドア１の内外にハンドル取付座２１，２２を固定後、室外側のレバ−ハンドル６を保持し、その角芯棒７をハンドル取付座２１の通孔２５に挿入し、これを錠前３の角穴５に差し込んでドア１の内側に突出する。
そして、角芯棒７の先端部に室内側のレバ−ハンドル３９の軸部３９ａの角穴４０を嵌合し、軸部３９ａの外側から止めビス４１をねじ込み、その螺軸端部を角芯棒７の係止溝４２に係合し、レバ−ハンドル３９を角芯棒７に連結すれば、レバ−ハンドル６，３９の取り付けが終了する。
【００３９】
この状況は図９のようで、ハンドル取付座２１，２２の表面に化粧板３０，３０が表出し、その外周を凸部２４，２４が環状に位置し、レバ−ハンドル６，３９の取り付け基部が化粧板３０，３０の金属光沢で装飾され、その外周を凸部２４，２４が環状に区画して意匠的な美観と高品位感を奏する。
また、前記化粧板３０，３０の表面は、凸部２４，２４と同高または若干突出若しくは低位に位置し、前記表面がレバ−ハンドル６，３９の軸部６ａ，３９ａの段部と離間し、かつガイドリブ３４の近接位置に位置していて、レバ−ハンドル６，３９の回動による擦過を回避する。
【００４０】
しかも、前記化粧板３０，３０はマグネットシ−ト２９によって吸着保持され、その表面が、レバ−ハンドル６，３９の軸部６ａ，３９ａの段部と係合可能に配置されているから、化粧板３０，３０の剥離を防止し得る。
【００４１】
こうして取り付けたハンドル取付座２１，２２を修理等で取り外す場合は、止めビス４１を緩めて内外のレバ−ハンドル６，３９を取り外し、ハンドル取付座２１，２２を表出させる。
このようにすると、ハンドル取付座２１，２２に通孔２５が開口し、化粧板３０の舌片３２が凹溝３３上に張り出して対向して位置し、これがガイドリブ３４，３４の端部間に移動可能に配置されている。
そこで、通孔２５に手指を挿入し、またはマイナスドライバ−等の器具を用いて、舌片３２の先端部を手前に掻き出せば、化粧板３０がマグネットシ−ト２９の磁力に抗して容易に剥離され、周辺を損傷することなく安全に取り外せる。
【００４２】
この後、内側のビス１７を緩め、内外のハンドル取付座２１，２２の連結を解除し、ハンドル取付座２１を外側へ引き、連結パイプ１５，１５を係合孔１２，１２から引き抜けば、ハンドル取付座２１，２２を取り外せる。
このように基本的には工具を要することなく、手指によって周囲を損傷することなく、ハンドル取付座２１，２２を容易に取り外せる。
【００４３】
図１１は本発明の他の実施形態を示し、前述の実施形態の構成と対応する部分には同一の符号を用いている。
この実施形態は、前述のレバ−ハンドル６，３９の取り付け基部に対する適用に加え、間仕切り錠や表示錠、サムタ−ン摘みの各取付座に適用している。
すなわち、錠前３は表示錠および間仕切り錠に両用可能にされ、その内部にラッチボルト４の後端部に係脱可能な制御カム（図示略）が回動可能に設けられ、該制御カムに形成した方円形の係合孔４３が、錠前３の後端部に貫通して形成されている。
【００４４】
前記係合孔４３の上部側の矩形孔部に、合成樹脂製の表示用取付座４４に取り付けた角軸４５が係入して貫通し、後方へ突出している。前記角軸４５の基部は、止め輪（図示略）を介して表示用取付座４４の裏面に回動可能に取り付けられ、その一端部に表示窓４６を開口した表示板４７を一体に形成若しくは連結し、該表示板４７を表示用取付座４４に設けた凹孔４８に回動可能に収容している。
図中、４７ａは表示板４７に形成した凹溝で、例えば硬貨等の非常回動部材を係合可能にされ、室外側から硬貨を駆使して制御カムを回動し、ラッチボルト４を後退させて開扉可能にしている。
【００４５】
前記凹孔４８の底部に、使用不使用を表示する二色の表示部（図示略）が設けられ、該凹孔４８の近接位置にマグネットシ−ト２９を取り付け可能な凹部２７と、ビス１７の頭部１７ａを収容可能な凹孔２６が形成され、該凹孔２６の同軸位置に六角パイプ状の連結パイプ４９が一端が配置され、その内部に形成した雌ネジ部に前記ビス１７の螺軸がねじ込まれて、連結パイプ４９を連結している。
【００４６】
図中、５０は凸部２４に形成した切欠溝で、該切欠溝５０に化粧板３０に突設した舌片５１が収容され、化粧板３０を位置決めするとともに、手指または工具を舌片５１の端部に接触させて化粧板３０を取り外し可能にしている。
図中、５２はドア１に形成した貫通孔で、該孔５２に前記角軸４５と連結パイプ４９が挿入され、それらの先端部に合成樹脂製のサムタ−ン取付座５３が取り付けられている。
【００４７】
前記サムタ−ン取付座５３の凸部２４で区画された平坦面２３に、サムタ−ン摘み５４が回動可能に取り付けられ、その軸部がサムタ−ン取付座５３の裏面に止め輪５５を介して回動可能に取り付けられ、その先端の角穴５６に前記角軸４５が係合可能に挿入されている。
前記平坦面２３にマグネットシ−ト２９を取り付け可能な凹部（図示略）と、ビス１７の頭部１７ａを収容可能な凹孔（図示略）とが形成され、該凹孔の裏側に連結パイプ４９の他端部を係合可能な角溝５７が形成され、該連結パイプ４９の雌ネジ部に室内側からビス１７をねじ込み、連結パイプ４９を連結している。
【００４８】
このようにドア１の内外に表示用取付座４４とサムタ−ン取付座５３が取り付けられ、
それらの平坦面２３にステンレス鋼板製の化粧版３０がマグネットシ−ト２９を介して取り付けられ、表示板４７またはサムタ−ン摘み５４の周辺を金属光沢で装飾し、その外周を凸部２４，２４で環状に区画して、意匠的な美観と高品位感を備えている。
【００４９】
このような使用形態では、例えばトイレ等の室内の使用時に閉扉し、ラッチボルト４を突出後にサムタ−ン摘み５４を回動操作すると、制御カム（図示略）が同動してラッチボルト４の後端部に移動し、ラッチボルト４の後退を阻止して閉扉状態をロックする。
前記サムタ−ン摘み５４の回動操作に伴って、角軸４５と表示板４７が同動し、表示板４７の表示窓４６が表示部の使用表示域に移動し、使用中に相当する表示色を表示する。
【００５０】
このような室内の使用時において、室内の使用者に非常事態が発生し、サムタ−ン摘み５４を回動操作できない場合は、室外側から非常回動部材を凹溝４７ａに係合して回動し、角軸４５を介し制御カムを同動させて、該カムをラッチボルト４の後端部から避退させ、ラッチボルト４を後退可能にして開扉し、室内の使用者を救出可能にしている。
【００５１】
また、修理等で表示用取付座４４やサムタ−ン取付座５３を取り外す場合は、サムタ−ン取付座５３側の化粧板３０の舌片５１の先端に、手指またはマイナスドライバ−等の器具を掛け、これを掻き出し若しくはこじって、化粧板３０をマグネットシ−ト２９から剥離し、表出したビス１７を緩めてサムタ−ン取付座５３を取り外し、更に表示用取付座４４を角軸４５および連結パイプ４９と一緒に貫通孔５２から引き抜けば良く、各取付座４４，５３の周囲を損傷することなく容易かつ速やかに取り外せる。
【００５２】
一方、本発明を前記表示用取付座４４の代わりに、間仕切り用取付座５８に適用することも可能である。
この場合の構成は表示用取付座４４と基本的に同一で、対応する構成部分に同一の符号を用いている。
すなわち、角軸４５の基端部に円錐台形のキ−シリンダ５９を突設し、これを凹孔４８に回動可能に収容するとともに、前記キ−シリンダ５９に鍵孔６０を形成し、該鍵孔６０にキ−６１を差し込んで、キ−シリンダ５９を回動可能にしている。
【００５３】
この場合も、間仕切り用取付座５８の平坦面２３に、ステンレス鋼板製の化粧版３０がマグネットシ−ト２９を介して取り付けられ、キ−シリンダ５９またはサムタ−ン摘み５４の周辺を金属光沢で装飾し、その外周を凸部２４，２４で環状に区画して、意匠的な美観と高品位感を奏している。
【００５４】
このような使用形態では、例えば子供部屋等の室内の使用時に閉扉し、ラッチボルト４を突出後にサムタ−ン摘み５４を回動操作すると、制御カム（図示略）が同動してラッチボルト４の後端部に移動し、ラッチボルト４の後退を阻止して閉扉状態をロックする。
【００５５】
そして、室内の使用時に使用者に非常事態が発生し、サムタ−ン摘み５４を回動操作できない場合は、室外側からキ−シリンダ５９の鍵孔６０にキ−６１を差し込み、キ−シリンダ５９を回動操作して、これに制御カム（図示略）とサムタ−ン摘み５４を同動させ、ラッチボルト４の後退を促しサムタ−ン摘み５４を回動して、ラッチボルト４を後退し開扉可能にして、室内の使用者を救出可能にしている。
【００５６】
一方、修理等で間仕切り用取付座５８やサムタ−ン取付座５３を取り外す場合は、サムタ−ン取付座５３側の化粧板３０の舌片５１の先端に、手指またはマイナスドライバ−等の器具を掛け、これを掻き出し若しくはこじって、化粧板３０をマグネットシ−ト２９から剥離し、表出したビス１７を緩めてサムタ−ン取付座５３を取り外し、更に間仕切り用取付座５８を角軸４５および連結パイプ４９と一緒に貫通孔５２から引き抜けば良く、各取付座５８，５３の周囲を損傷することなく容易かつ速やかに取り外せる。
【産業上の利用可能性】
【００５７】
このように本発明のドアハンドル等の取付座は、構成が簡単で容易かつ安価に製作できるとともに、取付座からカバ−を容易に取り外すことができ、しかも種々のデザインに応じられ高品位の美観を得られるから、例えばドアに設けたドアハンドルまたはサムタ−ン等の取付座に好適である。
【図面の簡単な説明】
【００５８】
【図１】本発明をドア用レバ−ハンドルに適用した取付座の組み立て状況を分解して示す斜視図である。
【図２】本発明に適用したハンドル取付座の表面側を拡大して示す正面図である。
【図３】図２のＡ−Ａ線に沿う断面図である。
【図４】図２のＢ−Ｂ線に沿う断面図である。
【００５９】
【図５】本発明に適用したハンドル取付座から化粧板を取り外した状況を示す正面図である。
【図６】本発明に適用したハンドル取付座の裏面側を拡大して示す正面図である。
【図７】本発明に適用した化粧板を拡大して示す正面図である。
【図８】本発明に適用した連結パイプを拡大して示す斜視図である。
【００６０】
【図９】本発明に適用したハンドル取付座を、内外のドア用レバ−ハンドルの基部に取り付けた状況を示す断面図である。
【図１０】（ａ）〜（ｆ）は本発明に適用したハンドル取付座の他の形態を示す正面図である。
【図１１】本発明の他の実施形態を示す斜視図で、本発明を適用した表示用取付座と、間仕切り用取付座と、サムタ−ン取付座の取り付け状況を分解して示す斜視図である。
【符号の説明】
【００６１】
１                  ドア
６                  ドアハンドル（レバ−ハンドル）
６ａ                軸部
２１                取付座（ハンドル取付座）
２２                取付座（ハンドル取付座）
２３                平坦面
２９                マグネットシ−ト
【００６２】
３０                カバ−（化粧板）
３１                通孔
３２                舌片
３９                ドアハンドル（レバ−ハンドル）
３９ａ              軸部
４４                取付座（表示用取付座）
【００６３】
４７                表示板
５１                舌片
５３                取付座（サムタ−ン取付座）
５４                サムタ−ン摘み
５８                取付座（間仕切り用取付座）
５９                キ−シリンダ
【図１】
2009228287.tif 000003
【図２】
2009228287.tif 000004
【図３】
2009228287.tif 000005
【図４】
2009228287.tif 000006
【図５】
2009228287.tif 000007
【図６】
2009228287.tif 000008
【図７】
2009228287.tif 000009
【図８】
2009228287.tif 000010
【図９】
2009228287.tif 000011
【図１０】
2009228287.tif 000012
【図１１】
2009228287.tif 000013